(57)【要約】【課題】より適切に利便性と省エネ性能とのバランスを取りながら画像処理装置を動作させる。【解決手段】実施形態の画像処理装置は、消費電力を抑制して画像処理を実行する第１の動作モードを有する画像処理装置であって、所定のジェスチャー毎に、該所定のジェスチャーを示すジェスチャー情報と、第１の動作モードでの消費電力よりも高い電力で、かつ、第１の動作モードでの画像処理の実行よりも高速に画像処理を実行する第２の動作モードとを関連付けて記憶する記憶部と、カメラと、制御部と、を備え、制御部は、第１の動作モードで該画像処理の実行を開始する画像処理部と、撮影制御部と、撮影させた画像により示されるユーザーのジェスチャーが、ジェスチャー情報により示される所定のジェスチャーに類似するとき、第１の動作モードを、第２の動作モードへ変更することを決定する決定部と、動作モードを変更させる変更部とを有する。【選択図】図１
2016115269.tif 000002
【特許請求の範囲】
【請求項１】
消費電力を抑制して画像処理を実行する第１の動作モードを有する画像処理装置であって、
所定のジェスチャー毎に、該所定のジェスチャーを示すジェスチャー情報と、前記第１の動作モードでの消費電力よりも高い電力で、かつ、前記第１の動作モードでの画像処理の実行よりも高速に画像処理を実行する第２の動作モードとを関連付けて記憶する記憶部と、
画像を撮影するカメラと、
制御部と、を備え、
前記制御部は、
前記画像処理の要求を受け付けると、前記第１の動作モードで該画像処理の実行を開始する画像処理部と、
前記要求を受け付けると、前記カメラに前記画像を撮影させる撮影制御部と、
前記撮影制御部により前記カメラに撮影させた前記画像により示されるユーザーのジェスチャーが、前記記憶部に記憶されているジェスチャー情報により示される所定のジェスチャーに類似するとき、前記第１の動作モードを、類似する該所定のジェスチャーを示すジェスチャー情報に関連付けて前記記憶部に記憶されている前記第２の動作モードへ変更することを決定する決定部と、
前記画像処理部で前記画像処理の実行が開始されている前記第１の動作モードを、前記決定部で決定された前記第２の動作モードに変更させる変更部と、
を有する画像処理装置。
【請求項２】
前記所定のジェスチャーを示すジェスチャー情報には、前記ユーザーの顔が前記画像処理装置の方向に所定の時間以上向き続けていることを示す第１ジェスチャー情報を含む、
請求項１に記載の画像処理装置。
【請求項３】
前記所定のジェスチャーを示すジェスチャー情報には、前記ユーザーが手を上げるジェスチャーを示す第２ジェスチャー情報を含む、
請求項１又は２に記載の画像処理装置。
【請求項４】
前記第２の動作モードは、前記制御部のクロックを上げる動作モードである、
請求項２又は３に記載の画像処理装置。
【請求項５】
ハードウェアにより前記画像処理を実行する画像処理専用回路を更に備え、
前記制御部は、前記第２の動作モードにより前記画像処理を実行するときは、前記画像処理専用回路も動作させることを決定し、前記第２の動作モードにより前記画像処理を実行しないときは、前記画像処理専用回路は動作させないことを決定する、
請求項２乃至４のいずれか１項に記載の画像処理装置。
【請求項６】
前記決定部は、前記第２の動作モードに変更することを決定するときに、前記制御部のクロックの上限を示す制限情報に更に基づいて、前記制限情報が示す前記制御部のクロックの上限を超えないように前記制御部のクロックを決定する、
請求項４又は５に記載の画像処理装置。
【請求項７】
画像処理を実行する画像処理装置の画像処理方法であって、
前記画像処置の要求を受け付けると、消費電力を抑制して前記画像処理を実行する第１の動作モードで該画像処理の実行を開始する画像処理開始ステップと、
前記画像処理装置に搭載されたカメラに画像を撮影させる撮影ステップと、
所定のジェスチャー毎に、該所定のジェスチャーを示すジェスチャー情報と、前記第１の動作モードでの消費電力よりも高い電力で、かつ、前記第１の動作モードでの画像処理の実行よりも高速に画像処理を実行する第２の動作モードとを関連付けて記憶する記憶部に記憶されている前記ジェスチャー情報により示される所定のジェスチャーと、前記カメラにより撮影された前記画像により示されるユーザーのジェスチャーとが類似するとき、前記第１の動作モードを、類似する該所定のジェスチャーを示すジェスチャー情報に関連付けて前記記憶部に記憶されている前記第２の動作モードへ変更することを決定する決定ステップと、
実行が開始されている前記画像処理の前記第１の動作モードを、決定された前記第２の動作モードに変更させる変更ステップと、
を有する画像処理方法。
【請求項８】
画像処理を実行する画像処理装置を、
前記画像処置の要求を受け付けると、消費電力を抑制して前記画像処理を実行する第１の動作モードで該画像処理の実行を開始する画像処理部と、
前記画像処理装置に搭載されたカメラに画像を撮影させる撮影制御部と、
所定のジェスチャー毎に、該所定のジェスチャーを示すジェスチャー情報と、前記第１の動作モードでの消費電力よりも高い電力で、かつ、前記第１の動作モードでの画像処理の実行よりも高速に画像処理を実行する第２の動作モードとを関連付けて記憶する記憶部に記憶されている前記ジェスチャー情報により示される所定のジェスチャーと、前記カメラにより撮影された前記画像により示されるユーザーのジェスチャーとが類似するとき、前記第１の動作モードを、類似する該所定のジェスチャーを示すジェスチャー情報に関連付けて前記記憶部に記憶されている前記第２の動作モードへ変更することを決定する決定部と、
実行が開始されている前記画像処理の前記第１の動作モードを、決定された前記第２の動作モードに変更させる変更部、
として機能させるためのプログラム。
【請求項９】
消費電力を抑制して画像処理を実行する第１のモードを有する画像処理装置であって、
画像を撮影するカメラと、
制御部と、を備え、
前記制御部は、
前記画像処理の要求を受け付けると、前記第１のモードで該画像処理の実行を開始する画像処理部と、
前記要求を受け付けると、前記カメラに前記画像を撮影させる撮影制御部と、
前記撮影制御部により前記カメラに撮影させた前記画像が、ユーザの顔領域を正面方向から撮影した画像である判断したとき、前記第１のモードを、前記第１のモードでの消費電力よりも高い電力で、かつ、前記第１のモードでの画像処理の実行よりも高速に画像処理を実行する第２のモードへ変更することを決定する決定部と、
前記画像処理部で前記画像処理の実行が開始されている前記第１のモードを、前記決定部で決定された前記第２のモードに変更させる変更部と、
を有する画像処理装置。
【発明の詳細な説明】
【技術分野】
【０００１】
本発明は画像処理装置、画像処理方法及びプログラムに関する。
【背景技術】
【０００２】
印刷を行う際に、ＣＰＵクロックを落とすことにより、消費電力を抑制することが従来から行われている。また、単にＣＰＵクロックを落とすだけでは、画像処理速度等の利便性を損ねてしまうため、利便性と省エネ性能とのバランスを取りながら消費電力を抑制する技術が既に知られている。
【０００３】
特許文献１には、装置全体の消費電力を一定値以下に抑えながら、ＰＤＬデータの展開処理と像形成処理とのバランスをとった像形成処理を実現する画像形成装置及びその制御方法の発明が開示されている。
【発明の概要】
【発明が解決しようとする課題】
【０００４】
しかしながら従来の技術では、ユーザーの状態を考慮していないため、利便性と省エネ性能とのバランスを適切に取りながら画像処理装置を動作させることができない場合があった。例えば、ユーザーが急いでいるか否かに関わらず、画像処理装置は同一のＣＰＵクロックで動作していた。
【０００５】
本発明は、上記に鑑みてなされたものであって、より適切に利便性と省エネ性能とのバランスを取ることができる画像処理装置、画像処理方法及びプログラムを提供することを目的とする。
【課題を解決するための手段】
【０００６】
上述した課題を解決し、目的を達成するために、本発明は、消費電力を抑制して画像処理を実行する第１の動作モードを有する画像処理装置であって、所定のジェスチャー毎に、該所定のジェスチャーを示すジェスチャー情報と、前記第１の動作モードでの消費電力よりも高い電力で、かつ、前記第１の動作モードでの画像処理の実行よりも高速に画像処理を実行する第２の動作モードとを関連付けて記憶する記憶部と、画像を撮影するカメラと、制御部と、を備え、前記制御部は、前記画像処理の要求を受け付けると、前記第１の動作モードで該画像処理の実行を開始する画像処理部と、前記要求を受け付けると、前記カメラに前記画像を撮影させる撮影制御部と、前記撮影制御部により前記カメラに撮影させた前記画像により示されるユーザーのジェスチャーが、前記記憶部に記憶されているジェスチャー情報により示される所定のジェスチャーに類似するとき、前記第１の動作モードを、類似する該所定のジェスチャーを示すジェスチャー情報に関連付けて前記記憶部に記憶されている前記第２の動作モードへ変更することを決定する決定部と、前記画像処理部で前記画像処理の実行が開始されている前記第１の動作モードを、前記決定部で決定された前記第２の動作モードに変更させる変更部と、を有する。
【発明の効果】
【０００７】
本発明によれば、より適切に利便性と省エネ性能とのバランスを取りながら画像処理装置を動作させることができるという効果を奏する。
【図面の簡単な説明】
【０００８】
【図１】図１は実施形態の画像処理システムのハードウェア構成の例を示す図である。
【図２】図２は実施形態の制御部の機能構成の例を示す図である。
【図３】図３は実施形態のジェスチャー登録設定画面の例を示す図である。
【図４】図４は実施形態のＣＰＵクロック上限設定画面の例を示す図である。
【図５】図５は実施形態のＨ／Ｗ画像処理設定画面の例を示す図である。
【図６】図６は実施形態の画像処理方法の例を示すフローチャートである。
【発明を実施するための形態】
【０００９】
以下に添付図面を参照して、画像処理装置、画像処理方法及びプログラムの実施形態を詳細に説明する。
【００１０】
図１は実施形態の画像処理システム１００のハードウェア構成の例を示す図である。実施形態の画像処理システム１００は、画像処理装置１０及び情報処理装置４０を備える。実施形態の画像処理装置１０は、消費電力を抑制して画像処理を実行する第１の動作モード（省電力モード）を有する。画像処理装置１０は、例えばレーザー方式又はインクジェット方式等の卓上プリンタである。情報処理装置４０は、例えばパーソナルコンピュータ又はタブレット端末等である。画像処理装置１０と情報処理装置４０とは、ＵＳＢケーブルにより接続されている。なお画像処理装置１０と情報処理装置４０とを、有線又は無線の通信ネットワークを介して接続してもよい。
【００１１】
実施形態の画像処理装置１０は、コントローラボード１１、カメラ２１、パネル２２及びプリンタ２３を備える。コントローラボード１１は画像処理装置１０の動作を制御するハードウェアである。
【００１２】
カメラ２１は画像処理装置１０の周囲を撮影し、画像を取得する。なお画像は動画でも静止画でもよい。またカメラ２１は、画像処理装置１０の筐体に設置され、ある程度向きを調整することができる、広角で撮影可能なカメラでもよいし、画像処理装置１０と有線ケーブル等により接続された、ユーザーが自由に向きを変更できるカメラでもよい。
【００１３】
パネル２２は画像処理装置１０の情報を表示する機能と、ユーザーからの操作入力を受け付ける機能と、を有するタッチパネルである。プリンタ２３は、コントローラボード１１から受信した画像データに基づいて、紙等の記録媒体に画像を定着させるハードウェアである。
【００１４】
コントローラボード１１は、制御部１２、記憶部１３、ＵＳＢ  Ｉ／Ｆ１４、カメラＩ／Ｆ１５、パネルＩ／Ｆ１６、画像処理Ｈ／Ｗ１７及びプリンタＩ／Ｆ１８を備える。
【００１５】
制御部１２は画像処理装置１０の動作を制御するプログラムを実行する。当該プログラムは、例えば画像処理装置１０が印刷を行うときに実行される画像処理プログラム等である。制御部１２は、例えばＣＰＵ又はＭＰＵ等である。実施形態の説明では、制御部１２がＣＰＵである場合について説明する。
【００１６】
記憶部１３は、所定のジェスチャー毎に、該所定のジェスチャーを示すジェスチャー情報と、第２の動作モードとを関連付けて記憶する。ここで第２の動作モードについて説明する。なおジェスチャー情報の説明については後述する。
【００１７】
第２の動作モードは、第１の動作モードでの消費電力よりも高い電力で、かつ、第１の動作モードでの画像処理の実行よりも高速に画像処理を実行するモードである。第２の動作モードの具体的な動作方法は任意に決定してよい。第２の動作モードは、例えば制御部１２のクロックを上げる動作モードである。また例えば第２の動作モードは、画像処理部３６による処理（ソフトウェア処理）だけでなく、画像処理Ｈ／Ｗ１７による処理（ハードウェア処理）も行う動作モードである。
【００１８】
また記憶部１３は、カメラ２１により撮影された画像、画像処理装置１０の設定情報、情報処理装置４０から送信された画像処理の要求（印刷ジョブ等）、及び、当該画像処理の要求に基づく処理データ等の情報を記憶する。画像処理装置１０の設定情報の詳細については後述する。記憶部１３は、例えばＲＡＭ、ＲＯＭ及びＮＶＲＡＭ等である。より具体的には、ＲＡＭは、制御部１２がプログラムを実行するときに生成されるデータ等を記憶する。ＲＯＭは、制御部１２により実行されるプログラム等を記憶する。ＮＶＲＡＭは、画像処理装置１０の電源を切っても保持する必要がある設定情報等を記憶する。
【００１９】
ＵＳＢ  Ｉ／Ｆ１４はＵＳＢケーブルにより画像処理装置１０と情報処理装置４０とを接続するインタフェースである。ＵＳＢ  Ｉ／Ｆ１４は、例えば情報処理装置４０から印刷ジョブ、及び、画像処理装置１０の設定情報等を受信する。
【００２０】
カメラＩ／Ｆ１５は画像処理装置１０とカメラ２１とを接続するインタフェースである。カメラＩ／Ｆ１５は、例えばＤＶＩ−Ｄ端子、ＤＶ端子及びＵＳＢ端子等である。パネルＩ／Ｆ１６は画像処理装置１０とパネル２２とを接続するインタフェースである。
【００２１】
画像処理Ｈ／Ｗ１７は、ハードウェアにより画像処理を実行する画像処理専用回路である。画像処理装置１０がハードウェアによる画像処理を実行する動作モードで動作する場合、画像処理Ｈ／Ｗ１７は制御部１２から、画像処理の要求を受け付け、当該画像処理を実行することにより得られた画像データを制御部１２に返却する。
【００２２】
プリンタＩ／Ｆ１８は画像処理装置１０とプリンタ２３とを接続するインタフェースである。制御部１２又は画像処理Ｈ／Ｗ１７により実行された画像処理により得られた画像データが、プリンタＩ／Ｆ１８を介してプリンタ２３に送信される。
【００２３】
図２は実施形態の制御部１２の機能構成の例を示す図である。図２の例は、制御部１２が記憶部１３のプログラムを読み出して実行することにより、制御部１２が、受付部３１、設定部３２、撮影制御部３３、決定部３４、変更部３５及び画像処理部３６として動作する場合の例を示す。
【００２４】
受付部３１は情報処理装置４０からＵＳＢ  Ｉ／Ｆ１４を介して印刷ジョブ等の画像処理の要求、及び、画像処理装置１０の設定情報等を受け付ける。なお受付部３１は当該画像処理の要求及び当該設定情報を、パネル２２からパネルＩ／Ｆ１６を介して受け付けてもよい。受付部３１は画像処理の要求を受け付けた場合、当該画像処理の要求を撮影制御部３３及び画像処理部３６に入力する。また受付部３１は設定情報を受け付けた場合、当該設定情報を設定部３２に入力する。
【００２５】
設定部３２は画像処理装置１０の設定情報を設定する。具体的には、設定部３２は、ユーザーの操作入力に応じて、記憶部１３の設定情報を更新する。ユーザーの操作入力は、情報処理装置４０にインストールされたアプリケーション等により表示される設定画面、又は、パネル２２に表示される設定画面を介して受け付ける。設定部３２は、情報処理装置４０が設定情報を示す入力を受け付けた場合、受付部３１（ＵＳＢ  Ｉ／Ｆ１４）から設定情報を受け付ける。また設定部３２は、パネル２２が設定情報を示す入力を受け付けた場合、受付部３１（パネルＩ／Ｆ１６）から設定情報を受け付ける。設定部３２は設定情報を記憶部１３に記憶する。ここで表示画面、及び、設定部３２が当該表示画面を介して受け付ける設定情報の例について説明する。
【００２６】
図３は実施形態のジェスチャー登録設定画面の例を示す図である。図３の例は、設定情報がジェスチャー情報である場合の例である。ジェスチャー情報は、後述の決定部３４が画像処理装置１０の動作モードを決定するときに、決定部３４により参照される。
【００２７】
「顔を向ける」は、ユーザーが、顔を画像処理装置１０（カメラ２１）の方向に所定の時間以上向き続けるジェスチャーを示す。所定の時間は、例えば２〜５秒である。「手を上げる」は、ユーザーが手を上げるジェスチャーを示す。「登録しない」は、ジェスチャーを登録しないことを示す。ジェスチャーを登録しない場合、後述の決定部３４がユーザーのジェスチャーに応じて動作モードを決定しない。「設定」は、選択されたジェスチャーの設定を確定する。
【００２８】
ジェスチャー登録は、動作モードの種類毎に、図３に示されるジェスチャー登録設定画面を介して行われる。設定部３２は、ジェスチャー情報と、動作モードと、を関連付けて記憶部１３に記憶する。
【００２９】
例えば第２の動作モードのジェスチャー登録設定画面で、「顔を向ける」が登録された場合、設定部３２は、ユーザーの顔が画像処理装置１０の方向に所定の時間以上向き続けていることを示す第１ジェスチャー情報と、第２の動作モードと、を関連付けて記憶部１３に記憶する。また例えば第２の動作モードのジェスチャー登録設定画面で、「手を上げる」が登録された場合、設定部３２は、ユーザーが手を上げるジェスチャーを示す第２ジェスチャー情報と、第２の動作モードと、を関連付けて記憶部１３に記憶する。
【００３０】
これにより後述の決定部３４が、ユーザーのジェスチャーに応じて動作モードを決定できるようにする。なおジェスチャー登録設定画面において、各ジェスチャーは、ラジオボタン等を利用して排他的に設定するようにしてもよいし、複数のジェスチャーを同時に設定できるようにしてもよい。例えば第２の動作モードのジェスチャー登録設定画面で、「顔を向ける」と「手を上げる」とを同時に設定した場合は、ユーザーが手を上げるか、又は顔を画像処理装置１０の方向に所定の時間以上向き続けると、画像処理装置１０の動作モードが第２の動作モードに変更される。
【００３１】
図４は実施形態のＣＰＵクロック上限設定画面の例を示す図である。図４の例は、制御部１２がＣＰＵである場合に、設定情報として、ＣＰＵクロックの上限を示す制限情報を設定する場合の例である。制限情報は、後述の決定部３４が動作モードを、ＣＰＵクロックを向上させることにより画像処理速度を向上させる動作モードに決定する場合に、決定部３４により参照される。例えば「６００ＭＨｚ」はＣＰＵクロックの上限を６００ＭＨｚにすることを示す。ＣＰＵクロックの上限を設けると、画像処理速度は低下するが、消費電力も低下するので、画像処理速度と消費電力とのバランスを取ることができる。
【００３２】
図５は実施形態のＨ／Ｗ画像処理設定画面の例を示す図である。図５の例は、設定情報がＨ／Ｗ画像処理情報である場合の例である。Ｈ／Ｗ画像処理情報は、後述の決定部３４が動作モードを、画像処理速度を向上させる動作モードに決定する場合に、決定部３４により参照される。「Ｈ／Ｗ画像処理を行う」は、画像処理装置１０が画像処理を行う場合に、制御部１２のＳ／Ｗ処理だけでなく、画像処理Ｈ／Ｗ１７のＨ／Ｗ処理も行うことを示す。「Ｈ／Ｗ画像処理を行わない」は、画像処理装置１０が画像処理を行う場合に、制御部１２のＳ／Ｗ処理だけを行い、画像処理Ｈ／Ｗ１７のＨ／Ｗ処理は行わないことを示す。
【００３３】
一般に、制御部１２によるＳ／Ｗ処理と、画像処理Ｈ／Ｗ１７によるＨ／Ｗ処理とを並行して行うと、画像処理速度を最も向上させることができる。しかしながら画像処理Ｈ／Ｗ１７を同時に使用すると、画像処理速度は最も向上するが、画像処理装置１０の消費電力も最も増大する。一方、画像処理Ｈ／Ｗ１７の電源を切って、制御部１２だけで画像処理を行う場合は、画像処理速度は低下するが、画像処理装置１０の消費電力も低下する。
【００３４】
したがって画像処理装置１０を、画像処理速度を向上させる動作モードで動作させる場合、画像処理速度を優先させたいときは、制御部１２（ＣＰＵ）のクロックを上げ、かつ画像処理Ｈ／Ｗ１７を使うと、印刷処理速度を最も向上させることができる。一方、画像処理装置１０の消費電力を抑制することを優先させたい場合には、画像処理の処理速度を向上させる動作モードで画像処理装置１０を動作させる場合でも、画像処理Ｈ／Ｗ１７を使わないという選択をすることも可能である。
【００３５】
図２に戻り、撮影制御部３３は、受付部３１から画像処理の要求を受け付けると、カメラ２１に画像を撮影させる。撮影制御部３３はカメラ２１により撮影された画像を、決定部３４に入力する。
【００３６】
決定部３４は、撮影制御部３３から画像を受け付けたときに、画像処理装置１０の動作モードを決定する。具体的には、決定部３４は撮影制御部３３によりカメラ２１に撮影させた画像により示されるユーザーのジェスチャーが、記憶部１３に記憶されているジェスチャー情報により示される所定のジェスチャーに類似するとき、第１の動作モードを、類似する該所定のジェスチャーを示すジェスチャー情報に関連付けて記憶部１３に記憶されている第２の動作モードへ変更することを決定する。所定のジェスチャーは、例えば「顔を向ける」及び「手を上げる」等のジェスチャーである。
【００３７】
なお上述の第１の動作モード及び第２の動作モードは、記憶部１３の設定情報に基づいて任意に決定してよい。例えば第１の動作モードを、制御部１２（ＣＰＵ）のクロックを４００ＭＨｚにして動作させる動作モードとし、第２の動作モードを、制御部１２のクロックを６００ＭＨｚに上げて動作させる動作モードとしてもよい。また例えば第１の動作モードを、制御部１２のクロックを４００ＭＨｚにして動作させ、画像処理Ｈ／Ｗ１７は使用しない動作モードとし、第２の動作モードを、制御部１２のクロックを６００ＭＨｚに上げて動作させ、更に画像処理Ｈ／Ｗ１７も使用する動作モードとしてもよい。また動作モードは、第１の動作モード及び第２の動作モードの２つに限られず、３つ以上の動作モードがあってもよい。
【００３８】
変更部３５は、動作モードを、決定部３４により決定された動作モードに変更する。また変更部３５は、動作モードを変更した場合、画像処理装置１０で画像処理が終了した後に、第１の動作モードに戻す。
【００３９】
画像処理部３６は、印刷ジョブ等の画像処理の要求に応じた画像処理を実行する。具体的には、画像処理部３６は、受付部３１が画像処理の要求を受け付けると、第１の動作モードで画像処理の実行を開始する。そして決定部３４により動作モードの変更が決定されると、変更部３５により動作モードが変更されることにより、変更された動作モード（例えばＣＰＵクロックの向上）で画像処理を実行する。
【００４０】
次に実施形態の画像処理方法について説明する。
【００４１】
図６は実施形態の画像処理方法の例を示すフローチャートである。はじめに、受付部３１が、情報処理装置４０又はパネル２２から、印刷ジョブ等の画像処理の要求を受け付ける（ステップＳ１）。次に、カメラ２１が、画像を取得する（ステップＳ２）。次に、画像処理部３６が、第１の動作モード（省電力モード）で画像処理の実行を開始する（ステップＳ３）。
【００４２】
次に、決定部３４が、画像が示すユーザーのジェスチャーが、上述のジェスチャー情報と類似するか否かを判定する（ステップＳ４）。例えばジェスチャー情報が、上述の「顔を向ける」である場合、決定部３４は、カメラ２１により取得された画像から、ユーザーの顔が所定の時間、正面を向いていることを認識できるとき、ユーザーのジェスチャーが「顔を向ける」ことを示すジェスチャー情報に類似すると判定する。一方、決定部３４は、ユーザーが離席した場合等は、ユーザーがカメラ２１の撮影範囲から外れるため、ユーザーの顔が所定の時間の間、正面を向いていることが認識できないので、ユーザーのジェスチャーが「顔を向ける」ことを示すジェスチャー情報に類似しないと判定する。
【００４３】
類似する場合（ステップＳ４、Ｙｅｓ）、決定部３４が、動作モードを、当該ジェスチャー情報に関連付けられた動作モードに決定し、変更部３５が、動作モードを、決定部３４により決定された動作モードに変更する（ステップＳ５）。類似しない場合（ステップＳ４、Ｎｏ）、処理はステップＳ６に進む。
【００４４】
次に、変更部３５が、動作モードを変更したか否かを判定する（ステップＳ６）。動作モードを変更した場合（ステップＳ６、Ｙｅｓ）、変更部３５は、動作モードを元に戻す（ステップＳ７）。動作モードを変更していない場合（ステップＳ６、Ｎｏ）、処理は終了する。
【００４５】
以上説明したように、実施形態の画像処理装置１０は、画像処理の要求を受け付けたときに、画像処理部３６が第１の動作モード（省電力モード）で画像処理の実行を開始するとともに、カメラ２１が、画像を取得する。決定部３４がカメラ２１に撮影させた画像により示されるユーザーのジェスチャーが、記憶部１３に記憶されているジェスチャー情報により示される所定のジェスチャーに類似するとき、第１の動作モードを、第２の動作モードへ変更することを決定する。これにより実施形態の画像処理装置１０は、ユーザーのジェスチャーに合わせて利便性と省エネ性能とのバランスを取りながら動作することができる。
【００４６】
実施形態の画像処理装置１０（制御部１２）で実行されるプログラムは、インストール可能な形式又は実行可能な形式のファイルでＣＤ−ＲＯＭ、メモリカード、ＣＤ−Ｒ及びＤＶＤ（Ｄｉｇｉｔａｌ  Ｖｅｒｓａｔｉｌｅ  Ｄｉｓｋ）等のコンピュータで読み取り可能な記憶媒体に記録されてコンピュータ・プログラム・プロダクトとして提供される。
【００４７】
なお実施形態の画像処理装置１０で実行されるプログラムを、インターネット等のネットワークに接続されたコンピュータ上に格納し、ネットワーク経由でダウンロードさせることにより提供するように構成してもよい。また実施形態の画像処理装置１００で実行されるプログラムをダウンロードさせずにインターネット等のネットワーク経由で提供するように構成してもよい。
【００４８】
また実施形態の画像処理装置１０のプログラムを、記憶部１３のＲＯＭ等に予め組み込んで提供するように構成してもよい。
【００４９】
実施形態の画像処理装置１０で実行されるプログラムは、上述した図２の各機能ブロック（受付部３１、設定部３２、撮影制御部３３、決定部３４、変更部３５及び画像処理部３６）を含むモジュール構成となっている。当該各機能ブロックは、実際のハードウェアとしては、制御部１２が、記憶部１３のＲＯＭ又は上記記憶媒体等からプログラムを読み出して実行することにより実現される。なお上述した図２の各機能ブロックのうち、画像処理部３６は画像処理Ｈ／Ｗ１７としてハードウェアとしても実現されている。同様に、画像処理部３６以外の機能ブロックの一部又は全部を、ソフトウェアとハードウェアとを組み合わせて実現してもよいし、ソフトウェアにより実現せずに、ハードウェアにより実現してもよい。
【符号の説明】
【００５０】
１０  画像処理装置
１１  コントローラボード
１２  制御部
１３  記憶部
１４  ＵＳＢ  Ｉ／Ｆ
１５  カメラＩ／Ｆ
１６  パネルＩ／Ｆ
１７  画像処理Ｈ／Ｗ
１８  プリンタＩ／Ｆ
２１  カメラ
２２  パネル
２３  プリンタ
３１  受付部
３２  設定部
３３  撮影制御部
３４  決定部
３５  変更部
３６  画像処理部
４０  情報処理装置
１００  画像処理システム
【先行技術文献】
【特許文献】
【００５１】
【特許文献１】特許第４９２１２１８号公報
【図１】
2016115269.tif 000003
【図２】
2016115269.tif 000004
【図３】
2016115269.tif 000005
【図４】
2016115269.tif 000006
【図５】
2016115269.tif 000007
【図６】
2016115269.tif 000008